(57)【要約】  【課題】  待機状態から即時に撮影可能状態へ移行でき、操作性を向上させることができる撮影装置を提供するものである。  【解決手段】  入射される光信号を撮像し映像信号に変換するカメラ部２３を備えた第１の筐体２２と、第１の筐体２２が回動自在に配されるとともに撮影操作が可能な操作部２７を備えた第２の筐体２４と、第２の筐体２４における操作部２７を覆う位置に回動自在に配されるとともにカメラ部２３から出力される映像信号を表示可能な表示部２８を備えた第３の筐体２５とを備え、第３の筐体２５が所定角度まで回動された時に、操作部２７が目視可能な状態になるとともに、本装置の電源が投入されるよう制御されるものである。【選択図】  図７
2007047210.tif 000002
【特許請求の範囲】
【請求項１】
光信号を撮像部に結像する鏡筒部を備えた第１の筐体と、
前記撮像部から出力される映像信号を表示する表示部及び前記撮像部への撮影操作を行う操作部を主面に配し、前記主面に対向する裏面側に前記第１の筐体を回動可能に軸支する第１の回動軸を配する第２の筐体と、
前記第１の筐体または前記第２の筐体の何れか一方に、前記操作部の電源を投入する、前記第１の回動軸周りにおける前記第１の筐体の回動動作を生起するスイッチ部材とを備えることを特徴とする撮影装置。
【請求項２】
光信号を撮像部に結像する鏡筒部を備えた第１の筐体と、
前記第１の筐体を回動自在に軸支する第１の回動軸、及び前記撮像部への撮像操作を行う操作部を備えた第２の筐体と、
前記撮像部から出力される映像信号を表示する表示部を備え、前記第２の筐体に備える前記操作部と係合する第３の筐体と、
前記第２の筐体は、前記第３の筐体を所定角度回動可能に軸支する第２の回動軸をさらに具備し、前記第２の筐体または前記第３の筐体の何れか一方に、少なくとも前記表示部に電源を投入する、前記第３の筐体における前記第２の回動軸周りの回動を生起するスイッチ部材とを備えることを特徴とする撮影装置。
【請求項３】
前記第１の回動軸周りにおける前記第１の筐体、および前記第２の回動軸周りにおける前記第３の筐体の所定角度回動に連動して、前記操作部の電源が投入される請求項２記載の撮影装置。
【請求項４】
前記操作部の中心点と前記スイッチ部材の中心点とは、前記第１の回動軸の長さの中心を通る当該第１の回動軸に直交する平面と前記第２の筐体を形成する外壁との交線上に形成される請求項１または２何れかに記載の撮影装置。
【発明の詳細な説明】
【技術分野】
【０００１】
本発明は、被写体の反射光を対物レンズで集光した集光像を、撮像素子で映像信号に変換し、当該映像信号を情報媒体に記録する撮影装置に関する。
【背景技術】
【０００２】
近年、静止画や動画を手軽に撮影できる撮影装置が大幅に普及していきている。撮影装置の種類としては、静止画を簡単かつ高解像度で撮影できるデジタルスチルカメラや、動画をデジタル記録できるデジタルビデオカメラや、静止画を撮影可能なカメラ付き携帯電話機などがある。カメラ付き携帯電話機の一例が、特許文献１に開示されている。
【０００３】
以下、特許文献１の構成について説明する。
【０００４】
図９はカメラ付き携帯電話機における自分撮り状態を示す斜視図である。図９に示すように、カメラ付き携帯電話機１１０は、第１の筐体１１１、第２の筐体１１２、第３の筐体１１３から構成され、第１の筐体１１１と第２の筐体１１２はヒンジ部１２０を介して、互いに回動自在に保持されている。
【０００５】
第１の筐体１１１は、表面にディスプレイ部１１４を備える。ディスプレイ部１１４は、液晶表示素子などを備え、画像表示等を行う。第２の筐体１１２の表面には、通信時の操作入力のための操作ボタン１１５などが設けられる。第１の筐体１１１の上部には、凹部１１６が設けられ、第３の筐体１１３は凹部１１６に収納可能である。第３の筐体１１３は、上端の水平方向回転軸１１７で第１の筐体１１１の上部に連結され、水平方向回転軸１１７を中心として揺動変位が可能である。第３の筐体１１３には、カメラ１１８が備えられ、カメラユニットを形成している。
【０００６】
なお、図９に示す状態を「自分撮り状態」と定義する。また、図９に示す状態から、第３の筐体１１３をヒンジ部１１７を中心に回動させて凹部１１６内へ収納させた状態を「通常使用状態」と定義する。また、通常使用状態から、第１の筐体１１１を矢印Ｍに示す方向へ回動させ、ディスプレイ部１１４と操作部１１５とを対向させた状態（即ち、カメラ付き携帯電話機１１０が二つ折りになった状態）を、「待機状態」と定義する。なお、撮影者自身以外の被写体を撮影する場合は、カメラ付き携帯電話機１１０を通常使用状態にし、操作部１１５を操作して撮影モードへ移行させてから、シャッターボタン（操作部１１５における複数の操作ボタンのうち、いずれかで兼用）を操作する。
【０００７】
通常使用状態では、第３の筐体１１３であるカメラユニットが、第１の筐体１１１の凹部１１６に収納された状態となり、第１の筐体１１１及び第３の筐体１１３は一体化される。
【０００８】
カメラ１１８は、通常使用状態で、第１の筐体１１１におけるディスプレイ部１１４が配された面に対する背面側を撮影可能なように、第３の筐体１１３に装着されている。また、ディスプレイ部１１４の画面には、カメラ１１８で撮影される背面側の被写体映像が表示され、シャッターボタンを押す等の撮影操作を行うことで、静止画を記録媒体（図示せず）に記録することができる。
【０００９】
一方、自分撮りを行う際は、図９に示すように第３の筐体１１３を第１の筐体１１１の凹部１１６から外部に展開させる。これにより、第３の筐体１１３は第１の筐体１１１の周縁部よりも外方へ突出し、カメラ１１８は正面側（撮影者側）の撮影が可能になる。また、第３の筐体１１３を第１の筐体１１１の凹部１１６内へ折りたためば、カメラ１１８を収納状態にすることができる。
【特許文献１】特開２００２−３５４０８２号公報
【発明の開示】
【発明が解決しようとする課題】
【００１０】
しかしながら上記従来の構成では、待機状態から、カメラ１１８で撮影が可能になる状態へ移行させるためには、二つ折りになった第１の筐体１１１および第２の筐体１１２を開き、操作部１１５を操作して撮影モードへ移行させるという、煩わしい手順が必要になる。したがって、即時に撮影可能状態へ移行させることができないため、シャッターチャンスを逃してしまうなど、操作性を低下させていた。
【００１１】
本発明は、上記問題点に鑑み、待機状態から即時に撮影可能状態へ移行でき、操作性を向上させることができる撮影装置を提供することを目的とする。
【課題を解決するための手段】
【００１２】
上記目的を達成するために本発明の撮影装置の第１の構成は、光信号を撮像部に結像する鏡筒部を備えた第１の筐体と、前記撮像部から出力される映像信号を表示する表示部及び前記撮像部への撮影操作を行う操作部を主面に配し、前記主面に対向する裏面側に前記第１の筐体を回動可能に軸支する第１の回動軸を配する第２の筐体と、前記第１の筐体または前記第２の筐体の何れか一方に、前記操作部の電源を投入する、前記第１の回動軸周りにおける前記第１の筐体の回動動作を生起するスイッチ部材とを備えるものである。
【００１３】
また、本発明の撮影装置の第２の構成は、光信号を撮像部に結像する鏡筒部を備えた第１の筐体と、前記第１の筐体を回動自在に軸支する第１の回動軸、及び前記撮像部への撮像操作を行う操作部を備えた第２の筐体と、前記撮像部から出力される映像信号を表示する表示部を備え、前記第２の筐体に備える前記操作部と係合する第３の筐体と、前記第２の筐体は、前記第３の筐体を所定角度回動可能に軸支する第２の回動軸をさらに具備し、前記第２の筐体または前記第３の筐体の何れか一方に、少なくとも前記表示部に電源を投入する、前記第３の筐体における前記第２の回動軸周りの回動を生起するスイッチ部材とを備えるものである。
【発明の効果】
【００１４】
本発明の撮影装置は、待機状態から、即時に撮影可能状態へ移行させることができるので、操作性を向上させることができる。
【発明を実施するための最良の形態】
【００１５】
本発明の第２の構成の撮影装置において、前記第１の回動軸周りにおける前記第１の筐体、および前記第２の回動軸周りにおける前記第３の筐体の所定角度回動に連動して、前記操作部の電源が投入される構成としてもよい。
【００１６】
また、前記操作部の中心点と前記スイッチ部材の中心点とは、前記第１の回動軸の長さの中心を通る当該第１の回動軸に直交する平面と前記第２の筐体を形成する外壁との交線上に形成される構成としてもよい。
【００１７】
（実施の形態１）
図１は実施の形態１における撮影装置の構成を示す斜視図で、（ａ）は表面側の斜視図、（ｂ）は背面側の斜視図である。図２Ａは待機状態から撮影可能状態へ移行する際の流れを説明するための撮影装置の側面図である。図２Ｂは第１の筐体のロック機構を示す断面図であり、図１（ａ）におけるＺ−Ｚ部の断面である。また、図２Ｂにおいて、便宜上、表示部５の表記、および第１の筐体２や支軸７の断面表記は省略した。
【００１８】
なお、「待機状態」とは、図１及び図２Ａ（ａ）に示すように、鏡筒部に含まれるレンズ３を備えた第１の筐体２が、本実施形態の撮影装置を把持する本体である第２の筐体４の凹部に収納された状態である。待機状態では、撮影装置１の電源はオフとなっている。また、「撮影可能状態」とは、図２Ａ（ｂ）に示すようにレンズ３を備えた第１の筐体２が、第２の筐体４に対して所定角度回動された状態である。この状態では撮影装置１の電源はオンとなっており、被写体の反射光等の光信号をレンズ３でＣＣＤ等の不図示の撮像部に集光し、当該撮像部により撮像されている映像（スルー画像）が表示部５に表示されている。よって、撮影可能状態においては、シャッターボタンを操作すれば、即座に被写体の撮影が行われ、撮影された映像信号を情報媒体へ記録させることができる。
【００１９】
図において、撮影装置１は、レンズ３を備えた第１の筐体２と、表示部５や操作部６などを備えた第２の筐体４とから構成される。第１の筐体２は、第２の筐体４に形成された凹部４ａ（図２Ａ（ｂ）中に図示）内において、第１の回動軸である支軸７を中心に回動自在に配されている。さらに、第１の筐体２は第２の筐体４における凹部４ａに収納可能である。
【００２０】
第２の筐体４には、シャッターボタン６ａ及びカーソルキー６ｂから構成される操作部６と、撮像中の映像などを表示可能な表示部５などのほか、撮影された映像信号が記録される情報媒体（例えば半導体メモリカード）や、撮影装置１及び表示部５等に給電を行うためのバッテリーが内包されている（情報媒体とバッテリーは図示せず）。また、表示部５は、本実施の形態では２インチ程度の液晶ディスプレイで構成したが、有機ＥＬディスプレイなど他の表示素子であっても構わない。
【００２１】
シャッターボタン６ａは、静止画撮影や動画撮影の撮影動作を操作する。カーソルキー６ｂは、ホワイトバランスなどの画質調整や、ズーム操作などの操作を行うことができる。また、シャッターボタン６ａの周囲にカーソルキー６ｂを近接配置したことで、使用者が例えば親指で操作部６を操作する際に、カーソルキー６ｂはシャッターボタン６ａの操作に連動して少ない親指の移動量でズーム操作等が可能であるため、操作性を向上させることができる。
【００２２】
スライドスイッチ９は、矢印Ｂ（図２Ｂ（ａ）参照）方向へスライドさせることで、待機状態にある第１の筐体２のロックを解除し、撮影可能状態へ移行させることができる。
【００２３】
また、第２の筐体４には第１の筐体２を収納可能な凹部４ａが形成されている。凹部４ａ内には、押圧操作されることで撮影装置１の電源をオフにする電源スイッチ４ｂが配されている。電源スイッチ４ｂは、第１の筐体２が凹部４ａ内に収納されている時（待機状態）に、第１の筐体２の表面で押圧操作され、撮影装置１の電源がオフになる。また、第１の筐体２が回動されて、図２Ａ（ｂ）に示す撮影可能状態になった時は、電源スイッチ４ｂと第１の筐体２とが離間されるため、撮影装置１の電源がオンになる。
【００２４】
以上のように構成された本実施の形態の撮影装置について、以下その動作について説明する。
【００２５】
図１及び図２Ａ（ａ）に示す待機状態は、第１の筐体２が第２の筐体４の凹部４ａ内に収納され、図２Ｂに示す鍔部９ａと係合爪２ａとで構成するロック機構によって、回動動作しないようにロックされている。この時、第１の筐体２によって電源スイッチ４ｂが押圧操作され、撮影装置１の電源がオフになっている。
【００２６】
次に、スライドスイッチ９を矢印Ｂ方向へスライドさせると、第１の筐体２のロック状態が解除される。ロックが解除されると、第１の筐体２は内部に設けられた弾性手段（図示せず）によって付勢力が与えられ、支軸７を中心に矢印Ａ方向へ回動される。第１の筐体２が所定角度回動された状態で、回動が係止されて図２Ａ（ｂ）に示す撮影可能状態に至る。この時、第１の筐体２と電源スイッチ４ｂとは離間されるため、撮影装置１の電源がオンになるように制御されるとともに、図１に示すカメラ部３で撮像されている映像（スルー画像）が表示部５に表示される。
【００２７】
次に、撮影者は、表示部５に表示される映像を見ながら、カーソルキー６ｂを操作してズーム調整や画質調整を行い、所望のタイミングでシャッターボタン６ａを操作することで、静止画や動画の撮影を行うことができる。
【００２８】
なお、図２Ａ（ｂ）に示す撮影可能状態において、レンズ３の光軸８は所定角度を介して斜め下方向を向いている。この状態で、光軸８が略水平（被写体方向）になるように撮影装置１の角度（具体的には、第２の筐体４を把持している手の角度）を調整することで、表示部５が水平状態ではなく撮影者側に傾斜されるので、撮影者にとって見やすい角度にでき、表示部５で表示される映像（スルー画像）が視認しやすくなる。なお、光軸８と第２の筐体５の主面とでなす角度は、３０〜４５度が好ましい。
【００２９】
図２Ａ（ｂ）に示す撮影可能状態から待機状態へ移行させる場合は、第１の筐体２を支軸７の軸周りに矢印Ｇ方向へ回動させ、図２Ａ（ａ）に示す状態へ移行させる。図２Ａ（ａ）に示す状態では、第１の筐体２は後述するロック機構（図２Ｂ参照）によって回動規制されることにより、待機状態で位置決めされる。また、第１の筐体２が待機位置に移行されることで、電源スイッチ４ｂが第１の筐体２によって押圧操作されるので、撮影装置１の電源がオフにされ、不図示のバッテリーの消耗を抑制できる。
【００３０】
次に、スライドスイッチ９の構成について説明する。
【００３１】
スライドスイッチ９は図２Ｂに示すように構成されている。同図（ａ）は待機状態、（ｂ）は撮影可能状態である。スライドスイッチ９は、第２の筐体４との間に懸架されたコイルバネ１０によって、図２Ｂ（ａ）に示す状態に付勢されている。また、第１の筐体４は、別途設けられた捻りコイルバネなどの付勢手段（図示せず）によって、常時矢印Ａ方向へ付勢されているが、（ａ）に示すように鍔部９ａと係合爪２ａとが係合されている状態では、回動が規制されている。
【００３２】
この状態から、使用者によってスライドスイッチ９がコイルバネ１０の付勢力に抗して矢印Ｂ方向へスライドされると、鍔部９ａと係合爪２ａとの係合が外れ、第１の筐体４が付勢手段の付勢力によって矢印Ａ方向へ回動される。そして、第１の筐体４は、例えば図１（ｂ）に示した第２の筐体４の支軸７に係合する舌部４ｃが支軸７と第１の筐体２との間隙に入り込み回動角度を規制する等の回動角度規制手段によって、図２Ｂ（ｂ）に示す状態で回動が規制される。次に、使用者がスライドスイッチ９を手から解放すると、スライドスイッチ９はコイルバネ１０の付勢力によって、（ａ）に示す位置へ復帰される。
【００３３】
また、第１の筐体４を、図２Ａ（ｂ）及び図２Ｂ（ｂ）に示す状態から、図２Ａ（ａ）及び図２Ｂ（ａ）に示す状態（収納状態）に戻す場合は、第１の筐体４を矢印Ｇ方向へ手動で回動させ、係合爪２ａと鍔部９ａとを係合させる。
【００３４】
この回動動作（収納動作）をさらに説明すると、図２Ｂ（ｂ）に示す状態から第１の筐体４を回動させると、係合爪２ａの先端に形成された傾斜部が鍔部９ａを押圧し、スライドスイッチ９がコイルバネ１０の付勢力に抗して矢印Ｂ方向へスライドされる。さらに、第１の筐体２を図２Ｂ（ａ）に示す位置まで回動させた時に、係合爪２ａの傾斜部と鍔部９ａとの係合が外れ、スライドスイッチ９がコイルバネ１０の付勢力に従って、矢印Ｂの逆方向へスライドされる。これにより、図２Ｂ（ａ）に示すように鍔部９ａの先端が係合爪２ａに係合されて、第１の筐体４は図２Ａ（ａ）及び図２Ｂ（ａ）に示す状態（収納状態）で位置決めされる。
【００３５】
以上のように本実施の形態によれば、例えば第２の筐体４を把持する手の親指によりスライドスイッチ９をスライドさせるだけで、撮影装置１を待機状態から撮影可能状態へ移行させることができる。したがって、ワンタッチで撮影可能状態へ移行させることができるので、操作手順が少なくなり、操作性を向上させることができる。なお、本実施形態ではスライドスイッチ９を第２の筐体４に備える構成で説明したが、第１の筐体２に備える構成であっても良い。この構成の場合には、図１（ｂ）における舌部４ｃからレンズ３側の第１の筐体２にスライドスイッチを備え、例えば人差し指で引掛けることで操作することができる。
【００３６】
また、例えば第２の筐体４を把持する片手の親指でスライドスイッチ９及び操作部６を操作することで撮影可能状態へ移行させることができるので、操作性を向上させることができる。さらに、図１（ａ）に示したように、本実施形態の撮影装置１では、操作部６及びスライドスイッチ９を第２の筐体４の幅方向の中心線、すなわち第２の筐体４の支軸７の長さ方向における中心を通り支軸７に対して直交する面と第２の筐体４を構成する外壁との交線上に備えるため、右利きの撮影者であっても左利きの撮影者であっても、操作性に関する利便性は同一である。
【００３７】
また、撮影可能状態においては、レンズ３の光軸８を第２の筐体４に対して所定角度傾斜させているので、撮影者にとって表示部５が見やすい角度になるとともに、操作部６が操作しやすくなる。
【００３８】
（実施の形態２）
図３は実施の形態２における撮影装置の待機状態の斜視図である。図４は図３における矢印Ｘ方向から見た斜視図である。図５は図３における矢印Ｙ方向から見た斜視図である。図６は待機状態から第３の筐体を約９０度回動させた状態を示す斜視図である。図７及び図８は図６に示す状態から第１及び第３の筐体を回動させた状態を示す斜視図で、この状態が撮影可能状態である。
【００３９】
図において、撮影装置２１は、第１の筐体２２と、第２の筐体２４と、第３の筐体２５の、主に３つの筐体から構成されている。第１の筐体２２と第３の筐体２５は、第２の回動軸であるヒンジ３１を介して第２の筐体２４に回動自在に配されている。
【００４０】
第１の筐体２２の先端には、被写体を撮像可能なレンズ２３が配されている。レンズ２３は、一般的に鏡筒に収納される。また、レンズ３による確実な結像を実現させるため、いわゆるＣＣＤまたはＣＭＯＳセンサー等の被写体の集光像を電気信号に変換する固体撮像素子も、第１の筐体２２に備えることが好ましい。また、第１の筐体２２は、捻りコイルバネなどの弾性手段（図示せず）によって、図６に示す矢印Ｃ方向に回動付勢されている。
【００４１】
第２の筐体２４には、図６に示すように撮影装置２１の各種操作（シャッター操作、ズーム操作、ホワイトバランス等の画質調整操作、等）が可能な操作部２７や、待機状態から撮影可能状態へ移行させる際に操作されるスイッチ部材であるボタン２６が配されている。また第２の筐体２４は、撮影装置１及び表示部２８に給電するバッテリーや、撮影された映像信号などを記録させることが可能な情報媒体が内包されている（バッテリー及び情報媒体は図示せず）。
【００４２】
本実施の形態では、情報媒体は半導体メモリを搭載したメモリカードを使用可能とし、図５に示すように第２の筐体２４の後端には、蓋部２９で覆い隠されたメモリカードスロット３０が配されている。なお、情報媒体はメモリカードに限らず、ディスク状情報媒体やハードディスクドライブなど、その他の情報媒体であっても構わない。
【００４３】
操作部２７は、図６に示すように、任意のタイミングで操作されることで静止画や動画の撮影が可能なシャッターボタン２７ａと、上下左右の４方向に操作することで上述したようにズーム操作や画質調整操作など各種設定操作が可能なカーソルキー２７ｂとから構成されている。また、シャッターボタン２７ａの周囲にカーソルキー２７ｂを近接配置したことで、使用者が例えば親指で操作部２７を操作する際に、カーソルキー２７ｂはシャッターボタン２７ａの操作に連動して少ない親指の移動量で例えばズーム操作等が可能であるため、操作性を向上させることができる。また、操作部２７は、図６に示すように第３の筐体２５を回動させた状態では目視可能となり操作可能であるが、図３に示すように待機状態の時は第３の筐体２５に覆い隠されるため、不用意にシャッターボタン２７ａを押すことで例えば不図示のメモリーカードに不要な映像を撮影する等の誤操作を防ぎ、同時に不図示のバッテリーの消耗も抑制できる。なお、操作部２７におけるカーソルキー２７ｂは、シャッターボタン２７ａの周囲において回転させることで様々な操作が可能な回転操作部（いわゆるジョグ／シャトルキー）で構成してもよい。また、カーソルキー２７ｂを無くして、シャッターボタン２７ａをスティック型にし、上下左右４方向の操作と、押圧による操作とを兼用させた構成としてもよい。
【００４４】
第３の筐体２５には、図７に示すように２インチ程度の表示部２８が配されており、撮影中の映像をはじめとして、例えばメモリーカードの残容量、バッテリーの残量、逆光／順光等の現在の撮影状況等の各種情報を表示させることができる。なお、表示部２８は、本実施の形態では液晶表示素子としたが、有機ＥＬ素子など他の表示素子であっても構わない。
【００４５】
また、第３の筐体２５は、捻りコイルバネなどの弾性部材（図示せず）によって、第２の筐体２４に対して常に開く方向に付勢されており、図３に示す待機状態では第３の筐体２５が開かないように爪などのロック機構（図示せず）でロックされている。なお、第３の筐体２５に付勢力を与える構成や、第３の筐体２５を待機状態でロックさせる構成は、例えば図２Ｂを参照して説明したような例をはじめとして、周知技術により実現可能であるため、詳細説明は省略する。
【００４６】
以上のように構成された本実施の形態の撮影装置について、以下その動作について説明する。
【００４７】
まず、図３に示すように、撮影装置２１の電源がオフになっている待機状態において、使用者によってボタン２６が押されると、第３の筐体２５に対する前記ロック機構のロック状態が解除される。これにより、第３の筐体２５は、第２の回動軸であるヒンジ３１の周りを前記弾性部材の付勢力に基づいて、図６に示す状態まで回動される。この時、ヒンジ３１の舌部である主面が第１の筐体２２の側面に当接（当接状態は図示せず）し、第３の筐体２５における矢印Ｆ方向への回動が規制される。
【００４８】
図６に示す状態では、第２の筐体２４の主面と、第３の筐体２５の表示部２８の表示面とが図示の第１の回動軸周りの回動でなす角度は、約９０度である。また、第３の筐体２５が図６に示す状態まで回動されることで、第３の筐体２５に覆い隠されていた操作部２７が、目視でき操作可能な状態になる。また、第３の筐体２５が図６に示す状態まで回動されることで、電源スイッチ（図示せず）がオンになり、撮影装置２１の電源がオンになるよう制御される。なお、電源スイッチの構成は、例えば実施の形態１で説明したような構成が適用できる。また、同図の状態では、表示部２８、既に撮影された映像を再生する不図示の再生装置、及びカーソルキー２７ｂの電源が投入される構成を採用すると、撮影済みの映像を表示部２８で再生視認できるが、シャッターボタン２７ａ及び撮像素子等撮影に関与する要素の動作は不動作状態を実現でき、誤撮影を抑制することができる。
【００４９】
第３の筐体２５が図６に示す位置まで回動されると、第１の筐体２２の回動を規制していたロック機構（図示せず）が解除される。よって、第１の筐体２２が、内部に設けられたバネなどの弾性手段（図示せず）によって、矢印Ｃ方向へ回動される。これに伴い、ヒンジ３１の主面と第１の筐体２２の側面との当接により回動が規制されていた第３の筐体２５も、矢印Ｆ方向へ回動される。回動後の状態、すなわち撮影可能状態を図７及び図８に示す。
【００５０】
図７において、第１の筐体２２は、その光軸が第２の筐体２４の主面に対して約４５度傾斜された状態となっている。また、第３の筐体２５は、表示部２８の表示面が第２の筐体２４の主面に対して約１３５度傾斜された状態となっている。なお、レンズ２３の光軸を略水平にした時、第１の筐体２２と第３の筐体２５と第２の筐体２４のそれぞれの位置関係は図８に示す状態となる。
【００５１】
図７に示す撮影可能状態において、使用者が撮影操作を行う際は、使用者は表示部２８に表示されるレンズ２３を介して被写体の映像信号を見ながら、カーソルキー２７ｂを操作してズーム調整や画質調整などを行い、任意のタイミングでシャッターボタン２７ａを操作することにより、静止画や動作を撮影することが可能となる。このように、同図の構成まで第１の筐体２２、第２の筐体２４及び第３の筐体２５がそれぞれ回動したときに、シャッターボタン２７ａ及び撮像素子等撮影に必要とする構成全てに電源が投入される構成を採ることにより、誤撮影を抑制することができる。なお、本実施形態では、図７の状態まで回動することにより初めて撮影可能とした場合について説明したが、例えば図６の状態で撮影可能とする構成であってもよいこと勿論である。
【００５２】
次に、第１の筐体２２及び第３の筐体２５を収納する際は、図７に示す状態から第１の筐体２２を矢印Ｄ方向へ回動させ、第１の筐体２２の回動動作に連動して第３の筐体２５も矢印Ｄ方向へ回動し、図６に示した状態になる。図６に示す状態まで回動させた時に、第１の筐体２２は内部のロック機構（図示せず）によってロックされ、不図示の第１の回動軸周りに第１の筐体の回動が規制される。次に、第３の筐体２５を矢印Ｅ方向へ回動させ、図３に示す待機状態に移行させる。この時、撮影装置２１の電源がオフになるように制御される。
【００５３】
以上のように本実施の形態によれば、待機状態から撮影可能状態へ移行させる際に、ボタン２６を操作するだけで、撮影装置２１の電源がオンにされ、第３の筐体２５が備える表示部２８を視認可能な状態とし、第１の筐体２２を良好に撮影可能な角度に調整され、操作部２７を操作可能な状態とすることができる。これにより、ワンタッチで撮影可能状態へ移行させることができるので、シャッターチャンスを逃さないなど、操作性を向上させることができる。
【００５４】
また、例えば第２の筐体２４を把持する片手の親指でボタン２６及び操作部２７を操作することで撮影可能状態へ移行させることができるので、操作性を向上させることができる。さらに、図６及び図７に示したように、本実施形態の撮影装置２１では、操作部２７及びボタン２６を第２の筐体２４の幅方向の中心線、すなわち第２の筐体２４を回動する第１の回動軸の長さ方向における中心を通り第１の軸に対して直交する面と第２の筐体２４を構成する外壁との交線上に備えるため、右利きの撮影者であっても左利きの撮影者であっても、撮影等に対する操作の利便性は同一とすることができる。
【００５５】
また、撮影可能状態において、レンズ２３の光軸を第２の筐体２４の主面に対して傾斜させることにより、レンズ２３を被写体方向に向けたときに、表示部２８及び操作部２７の角度が撮影者にとって操作しやすい角度になり、操作性を向上させることができる。
【００５６】
また、待機状態において、操作部２７を第３の筐体２５で覆い隠すことができるので、例えば持ち運びに際して操作部２７の誤操作を防止することができる。
【００５７】
なお、本実施の形態では、ボタン２６を操作した後、第３の筐体２５を約９０度回動させてから第１の筐体２２を回動させる構成としたが、第１の筐体２２を先に回動させてもよく、また第１の筐体２２と第３の筐体２５とを同時に回動させてもよい。
【００５８】
また、第１の筐体２２の回動機構に減速機構やダンパー機構を設けることで、第１の筐体２２の回動速度を、第３の筐体２５の回動速度よりも遅くさせることができる。これにより、第１の筐体２２の破損を防いだり、品格を向上させたりすることができる。
【産業上の利用可能性】
【００５９】
本発明は、待機状態から、ボタンを１回操作するだけで撮影可能状態へ移行可能な撮影装置に関するものであり、デジタルスチルカメラのほか、ビデオカメラやカメラ付き携帯電話機など、少なくとも撮影手段を搭載した機器であれば利用可能である。
【図面の簡単な説明】
【００６０】
【図１】本発明の実施の形態１における撮影装置の斜視図
【図２Ａ】実施の形態１における撮影装置の斜視図
【図２Ｂ】実施の形態１における撮影装置の要部拡大断面図
【図３】実施の形態２における撮影装置の斜視図（待機状態）
【図４】実施の形態２における撮影装置のカメラ部側から見た斜視図
【図５】実施の形態２における撮影装置のカードスロット側から見た斜視図
【図６】実施の形態２における撮影装置の斜視図
【図７】実施の形態２における撮影装置の斜視図（撮影可能状態）
【図８】実施の形態２における撮影装置の斜視図（撮影可能状態）
【図９】従来の撮影装置の斜視図
【符号の説明】
【００６１】
１、２１  撮影装置
２、２２  第１の筐体
３、２３  レンズ
４、２４  第２の筐体
５、２８  表示部
６、２７  操作部
９  スライドスイッチ
２５  第３の筐体
２６  ボタン
【図１】
2007047210.tif 000003
【図２Ａ】
2007047210.tif 000004
【図２Ｂ】
2007047210.tif 000005
【図３】
2007047210.tif 000006
【図４】
2007047210.tif 000007
【図５】
2007047210.tif 000008
【図６】
2007047210.tif 000009
【図７】
2007047210.tif 000010
【図８】
2007047210.tif 000011
【図９】
2007047210.tif 000012